(57)【要約】      （修正有）【課題】着用及び脱出を容易に実現し得るような水中手袋を提供する。【解決手段】防水シートによって構成されている水中手袋１であって、指先の反対側に位置している付け根部分端部の周囲を形成している何れかの位置、就中、掌面を基準とした場合において、手首の両側を含む中央の位置において、指先と反対方向に向かう突設部分１１を設け、必要に応じては、突設部分１１及びその近傍の表面に、微小突起１２を規則的又は不規則的に配列する。更には、防水シートが伸縮性を有し、かつ内側に圧縮変形可能なスポンジによる積層を具備する。【選択図】図１
0003153836.tif 000002
【実用新案登録請求の範囲】
【請求項１】
防水シートによって構成されている水中手袋であって、指先の反対側に位置している付け根部分端部の周囲を形成している何れかの位置において、指先と反対方向に向かう突設部分を設けていることに基づく水中手袋。
【請求項２】
突設部分が、掌面を基準とした場合において、手首の両側を含む中央の位置にかけて順次突設状態となっていることを特徴とする請求項１記載の水中手袋。
【請求項３】
突設部分及びその近傍の表面に、微小突起を規則的又は不規則的に配列していることを特徴とする請求項１，２の何れか１項に記載の水中手袋。
【請求項４】
防水シートが伸縮性を有し、かつ内側に圧縮変形可能なスポンジによる積層を具備していることを特徴とする請求項１，２，３の何れか１項に記載の水中手袋。
【考案の詳細な説明】
【技術分野】
【０００１】
本考案は、サーフィン、ダイビング等に使用し、かつ着脱に極めて便利な水中手袋に関するものである。
【背景技術】
【０００２】
水中手袋は、防水シートによって構成され、しかも掌及び各指と密着した状態にて使用するため、着用の際には他方側の掌の指先、即ち着用対象となっている掌が属する掌以外の掌の指先を一方側の水中手袋の付け根の位置、即ち反対側端部の位置に挿入して引っ張ることを余儀無くされる。
そして前記一方側の掌に既に水中用手袋を着用した後には、他方側の水中手袋を着用する際には、既に一方側の水中手袋によってカバーされている指先を前記他方側の手袋の付け根の位置に挿入して、同じような動作を行うことが必要となるが、このような作業は相当煩雑である。
【０００３】
しかも、水中用手袋を外す場合においても、掌及び指に密着した状態から脱する為に、指先側から相当の引っ張り力を加えることを不可欠とする。
【０００４】
このように従来の構成による水中手袋はその着脱に前記のような不便な状態が伴っているにも拘らず、この点を改良するような工夫又は設計はこれまで提唱されていない。
【０００５】
因みに、特許文献１は、掌及び指に密着する水中において使用する手袋の構成を開示しているが、着用及び脱出に格別に便宜な構成は何ら開示及び示唆していない。
【先行技術文献】
【特許文献】
【０００６】
【特許文献１】実開平6-30115号公報及びこれと一体を為してマイクロフィルムに収納されている明細書並びに図面
【考案の概要】
【考案が解決しようとする課題】
【０００７】
本考案は、着用及び脱出を容易に実現し得るような水中手袋を提供することを課題としている。
【課題を解決するための手段】
【０００８】
前記課題を解決するため、本考案の基本構成は、防水シートによって構成されている水中手袋であって、指先の反対側に位置している付け根部分端部の周囲を形成している何れかの位置において、指先と反対方向に向かう突設部分を設けていることに基づく水中手袋からなる。
【考案の効果】
【０００９】
前記基本構成に基づき、本考案の水中手袋においては、指先の反対側に位置している付け根部分の端部に設けた突設部分を把持しながら腕の方向に引っ張ることによって容易に着用することができ、しかも当該把持の状態にて指先側に引っ張ることによって容易に脱出を実現することもできる。
【００１０】
尚、上記把持は、他方側の手袋に水中手袋を着用している場合と、そうでない場合との双方において適用可能である。
【図面の簡単な説明】
【００１１】
【図１】本考案の基本構成を示す見取り図である。
【図２】実施例の構成を示す防水シートの断面図である。
【考案を実施するための形態】
【００１２】
本考案の基本構成は、図１に示すとおりであり、突設部分が、掌面を基準とした場合において、手首の両側を含む中央の位置にかけて順次突設状態となっていることを特徴とする実施形態の場合を示す。
【００１３】
但し、前記基本構成からも明らかなように、本考案において突設部分１１を設ける位置は、前記略中央の位置に限定される訳ではなく、他の位置を設けるような実施形態（例えば掌の表面を基準とする場合のその側部側に突設部分１１を設ける実施形態）も当然採用可能である。
前記突設部分１１は、図１に示すように、一箇所設ける場合が殆どであるが、２箇所以上設ける実施形態も採用可能である。
【００１４】
水中手袋１の着用者は、着用する際には、当該突設部分１１を他方の指によって把持し、腕の側、即ち指先と反対側に引っ張り力を加えれば良く、逆に水中手袋１を外す場合には、当該突設部分１１を他方側の指によって把持しながら一方側の指先側に引っ張り力を加えることによって容易に着脱を実現することができる。
【００１５】
即ち、前述した従来技術の水中手袋１のような着用に際し、付け根部分の内側に指先を挿入しながら引っ張ること、又は脱出に際し、指先部分を配置しながら引っ張るという煩雑な作業が不要となる。
【００１６】
このような着脱における便宜にも拘らず、突設部分１１を設けるために必要な水中手袋１の製造過程において必要とする経済コストは微々たるものであり、突設部分１１を設けない場合に比し、然したる相違は生じない。
【００１７】
特に図１に示すように、突設部分１１及びその近傍の表面に、微小突起１２を規則的に配列していることを特徴とする実施形態の場合には、突設部分１１を把持してその反対側の指先側に引っ張り力を加える際、指先が滑らずに把持状態を実現し得る点において、便利である。
【実施例】
【００１８】
実施例においては、図２に示すように防水シートが伸縮性を有し、かつ内側に圧縮変形可能なスポンジ２による積層を具備していることを特徴としている。
【００１９】
即ち、内側に圧縮自在のスポンジ２による積層構成によって、指先及び掌に密着した状態であっても、前記突設部分１１の把持によって、実施例においても容易に着用及び脱出を行うことが可能である。
【産業上の利用可能性】
【００２０】
本考案の構成は、サーフィン及びダイビング等のスポーツ関係だけでなく、その他の水中において使用する水中手袋１の全種類に適用することが可能である。
【符号の説明】
【００２１】
１  水中手袋
１１  突設部分
１２  微小突起
２  圧縮材のスポンジ
【図１】
0003153836.tif 000003
【図２】
0003153836.tif 000004
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
防水シートによって構成されている水中手袋であって、指先の反対側に位置している掌を挿入する開口部の端部の位置において、指先と反対方向に向かう突設部分を設けていることに基づく水中手袋。
【請求項２】
突設部分が、掌面を基準とした場合に、手首において、小指側の位置と、親指側の位置との中央の位置にかけて順次突設状態となっていることを特徴とする請求項１記載の水中手袋。
【請求項３】
突設部分及びその近傍の表面に、微小突起を規則的又は不規則的に配列していることを特徴とする請求項１，２の何れか１項に記載の水中手袋。
【請求項４】
防水シートが伸縮性を有し、かつ内側に圧縮変形可能なスポンジによる積層を具備していることを特徴とする請求項１，２，３の何れか１項に記載の水中手袋。
【手続補正２】
【補正対象書類名】明細書
【補正対象項目名】０００８
【補正方法】変更
【補正の内容】
【０００８】
前記課題を解決するため、本考案の基本構成は、防水シートによって構成されている水中手袋であって、指先の反対側に位置している掌を挿入する開口部の端部の位置において、指先と反対方向に向かう突設部分を設けていることに基づく水中手袋からなる。
【手続補正３】
【補正対象書類名】明細書
【補正対象項目名】００１２
【補正方法】変更
【補正の内容】
【００１２】
本考案の基本構成は、図１に示すとおりであり、突設部分が、掌面を基準とした場合に、手首において、小指側の位置と、親指側の位置との中央の位置にかけて順次突設状態となっていることを特徴とする実施形態の場合を示す。